(57)【要約】【課題】コンテンツを表示する方法及びその装置を提供する。【解決手段】コンテンツを表示する方法及びその装置に係り、デバイスのコンテンツ表示方法は、外部ディスプレイ装置に表示されたコンテンツを受信する段階と、受信されたコンテンツの一部領域を表示する段階と、ユーザ入力に基づいて、表示された一部領域に係わる付加情報を生成する段階と、生成された一部領域に係わる付加情報を外部ディスプレイ装置に提供する段階と、を含み、外部ディスプレイ装置に提供された付加情報は、外部ディスプレイ装置に表示されたコンテンツに反映されて表示される。【選択図】図１
2014011808.tif 000002
【特許請求の範囲】
【請求項１】
外部ディスプレイ装置に表示されたコンテンツを受信する段階と、
前記受信されたコンテンツの全体画面のうち一部領域のみを表示する段階と、
ユーザ入力に基づいて、前記表示された一部領域に係わる付加情報を生成し、前記外部ディスプレイ装置に提供する段階と、を含み、
前記付加情報は、前記外部ディスプレイ装置によって、前記ディスプレイ装置に表示されたコンテンツを、変更または制御するために使用されるものである、デバイスのコンテンツ表示方法。
【請求項２】
前記付加情報は、前記表示された一部領域に係わる編集情報を含み、
前記編集情報は、前記一部領域について、追加、変更または削除された線、図形及び色相のうち少なくとも一つについての情報を含むことを特徴とする請求項１に記載のコンテンツ表示方法。
【請求項３】
前記付加情報は、前記表示された一部領域に係わる領域情報を含み、
前記領域情報は、前記外部ディスプレイ装置が前記外部ディスプレイ装置に表示されたコンテンツについて、前記デバイスに表示された領域に対応する領域を表示するのに利用されることを特徴とする請求項１に記載のコンテンツ表示方法。
【請求項４】
前記受信されたコンテンツの全体画面のうち一部領域のみを表示する段階は、前記ユーザ入力に基づいて、前記受信されたコンテンツの全体画面のうち一部領域を変更して表示し、
前記付加情報を前記外部ディスプレイ装置に提供する段階は、前記変更された一部領域に係わる座標情報を、前記外部ディスプレイ装置に提供することを特徴とする請求項１に記載のコンテンツ表示方法。
【請求項５】
前記一部領域を変更して表示する段階は、
前記デバイスの動きを感知する段階と、
前記デバイスの動きに基づいて、前記受信されたコンテンツの全体画面のうち一部領域を拡大または縮小して表示する段階と、を含むことを特徴とする請求項４に記載のコンテンツ表示方法。
【請求項６】
前記一部領域を変更して表示する段階は、
前記デバイスの動きを感知する段階と、
前記デバイスの動きに基づいて、前記受信されたコンテンツの全体画面のうち一部領域を移動して表示する段階と、を含むことを特徴とする請求項４に記載のコンテンツ表示方法。
【請求項７】
前記外部ディスプレイ装置に表示されたコンテンツを受信する段階は、前記コンテンツを、前記外部ディスプレイ装置から受信することを特徴とする請求項１に記載のコンテンツ表示方法。
【請求項８】
前記外部ディスプレイ装置に表示されたコンテンツを受信する段階は、前記コンテンツを、前記外部ディスプレイ装置、及び前記デバイスと連結された別途のサーバから受信することを特徴とする請求項１に記載のコンテンツ表示方法。
【請求項９】
前記受信されたコンテンツの全体画面のうち一部領域のみを表示する段階は、前記受信されたコンテンツの一部領域を拡大して表示することを特徴とする請求項１に記載のコンテンツ表示方法。
【請求項１０】
前記受信されたコンテンツの全体画面のうち一部領域のみを表示する段階は、
前記表示された一部領域の座標情報を前記外部ディスプレイ装置に提供する段階と、
前記表示された一部領域に係わる高画質のコンテンツを前記外部ディスプレイ装置から受信する段階と、
前記受信された高画質のコンテンツを表示する段階と、をさらに含むことを特徴とする請求項９に記載のコンテンツ表示方法。
【請求項１１】
前記受信されたコンテンツの全体画面のうち一部領域のみを表示する段階は、
前記表示された一部領域の座標情報を、前記外部ディスプレイ装置、及び前記デバイスと連結された別途のサーバに提供する段階と、
前記表示された一部領域に係わる高画質のコンテンツを、前記サーバから受信する段階と、
前記受信された高画質のコンテンツを表示する段階と、をさらに含むことを特徴とする請求項９に記載のコンテンツ表示方法。
【請求項１２】
外部ディスプレイ装置に表示されたコンテンツを受信する段階と、
前記受信されたコンテンツの全体画面のうち一部領域のみを表示する段階と、
ユーザ入力に基づいて、前記表示された一部領域を変更する段階と、
前記変更されたコンテンツを前記外部ディスプレイ装置に提供する段階と、を含み、
前記提供された変更されたコンテンツは、前記外部ディスプレイ装置で表示されることを特徴とするデバイスのコンテンツ表示方法。
【請求項１３】
外部ディスプレイ装置に表示されたイメージを受信する段階と、
前記受信されたイメージの一部領域を拡大する段階と、
前記拡大された一部領域のイメージを表示する段階と、
ユーザ入力に基づいて、前記拡大された一部領域のイメージを変更して表示する段階と、
前記変更されたイメージを前記外部ディスプレイ装置に提供する段階と、を含み、
前記提供された変更されたイメージは、前記外部ディスプレイ装置で表示されることを特徴とするデバイスのコンテンツ表示方法。
【請求項１４】
外部ディスプレイ装置に表示されたイメージ、及び前記イメージの一部領域に係わる領域情報を受信する段階と、
前記受信された領域情報を利用して、前記受信されたイメージの一部領域を表示する段階と、
ユーザ入力に基づいて、前記一部領域のイメージを変更する段階と、
前記変更されたイメージを前記外部ディスプレイ装置に提供する段階と、を含み、
前記外部ディスプレイ装置に提供された前記変更されたイメージは、前記外部ディスプレイ装置でディスプレイされることを特徴とするデバイスのコンテンツ表示方法。
【請求項１５】
少なくとも１つのプログラムが保存されるメモリと、
前記少なくとも１つのプログラムを実行することによってコンテンツを表示させるプロセッサと、を含み、
前記少なくとも１つのプログラムは、
外部ディスプレイ装置に表示されたコンテンツを受信する段階と、
前記受信されたコンテンツの全体画面のうち一部領域のみを表示する段階と、
ユーザ入力に基づいて、前記表示された一部領域に係わる付加情報を生成する段階と、
前記生成された一部領域に係わる付加情報を前記外部ディスプレイ装置に提供する段階と、を実行する命令語を含み、
前記外部ディスプレイ装置に提供された付加情報は、前記外部ディスプレイ装置に表示されたコンテンツに反映されて表示されることを特徴とするデバイス。
【請求項１６】
少なくとも１つのプログラムが保存されるメモリと、
前記少なくとも１つのプログラムを実行することによってコンテンツを表示させるプロセッサと、を含み、
前記少なくとも１つのプログラムは、
外部ディスプレイ装置に表示されたコンテンツを受信する段階と、
前記受信されたコンテンツの全体画面のうち一部領域のみを表示する段階と、
ユーザ入力に基づいて、前記表示された一部領域を変更する段階と、
前記変更されたコンテンツを前記外部ディスプレイ装置に提供する段階と、を実行する命令語を含み、
前記提供された変更されたコンテンツは、前記外部ディスプレイ装置で表示されることを特徴とするデバイス。
【請求項１７】
少なくとも１つのプログラムが保存されるメモリと、
前記少なくとも１つのプログラムを実行することによってコンテンツを表示させるプロセッサと、を含み、
前記少なくとも１つのプログラムは、
外部ディスプレイ装置に表示されたイメージを受信する段階と、
前記受信されたイメージの一部領域を拡大する段階と、
前記拡大された一部領域のイメージを表示する段階と、
ユーザ入力に基づいて、前記拡大された一部領域のイメージを変更して表示する段階と、
前記変更されたイメージを前記外部ディスプレイ装置に提供する段階と、を実行する命令語を含み、
前記提供された変更されたイメージは、前記外部ディスプレイ装置で表示されることを特徴とするデバイス。
【請求項１８】
少なくとも１つのプログラムが保存されるメモリと、
前記少なくとも１つのプログラムを実行することによってコンテンツを表示させるプロセッサと、を含み、
前記少なくとも１つのプログラムは、
外部ディスプレイ装置に表示されたイメージ、及び前記イメージの一部領域に係わる領域情報を受信する段階と、
前記受信された領域情報を利用して、前記受信されたイメージの一部領域を表示する段階と、
ユーザ入力に基づいて、前記一部領域のイメージを変更する段階と、
前記変更されたイメージを前記外部ディスプレイ装置に提供する段階と、を実行する命令語を含み、
前記外部ディスプレイ装置に提供された前記変更されたイメージは、前記外部ディスプレイ装置でディスプレイされることを特徴とするデバイス。
【請求項１９】
デバイス及び外部ディスプレイ装置にコンテンツを提供する段階と、
前記デバイスに表示された前記コンテンツの全体画面のうち、一部領域に係わる付加情報を受信する段階と、
前記受信された付加情報を前記外部ディスプレイ装置に提供する段階と、を含み、
前記外部ディスプレイ装置に提供された付加情報は、前記外部ディスプレイ装置に提供されたコンテンツに反映されることを特徴とするサーバがコンテンツに係わる付加情報を提供する方法。
【請求項２０】
デバイス及び外部ディスプレイ装置にコンテンツを提供する段階と、
前記デバイスに表示された前記コンテンツの全体画面のうち一部領域に係わる付加情報を受信する段階と、
前記受信された付加情報を前記コンテンツに反映させる段階と、
前記付加情報が反映されたコンテンツを前記外部ディスプレイ装置に提供する段階と、を含む、サーバがコンテンツに係わる付加情報を提供する方法。
【請求項２１】
コンテンツをディスプレイするデバイスにおいて、
外部ディスプレイ装置に表示されたコンテンツを受信する送受信部と、
前記受信されたコンテンツの全体画面のうち一部領域のみを表示するディスプレイ部と、
ユーザ入力に基づいて、前記表示された一部領域に係わる付加情報を生成し、前記送受信部を制御し、前記付加情報を前記外部ディスプレイ装置に提供する制御部と、を含み、
前記付加情報は、前記外部ディスプレイ装置により、前記ディスプレイ装置に表示されたコンテンツを変更または制御するために使用されることを特徴とするデバイス。
【発明の詳細な説明】
【技術分野】
【０００１】
本発明は、共有コンテンツの一部領域を表示して編集する方法及びその装置に関する。
【背景技術】
【０００２】
最近、マルチメディア及び通信技術の発展により、ユーザは、さまざまな装置を利用して、多様な環境でのコンテンツ利用が可能になった。また、さらにデジタルコンバージェンス（digital convergence）という流れの下、スマートフォンが電話の機能だけではなく、インターネット通信、デジタルカメラ、ＭＰ３プレーヤ、ゲーム、放送視聴、金融業務のような多様な機能を備えるようになった。また、ユーザは、スマートフォンのようなデバイスを利用して、ＴＶ（television）のようなディスプレイ装置に表示されたコンテンツの確認が可能になった。
【０００３】
これにより、ディスプレイ装置に表示されたコンテンツを、ディスプレイ装置と通信可能なデバイスを介して、効果的に確認して編集することができる技術が要求されている。
【先行技術文献】
【特許文献】
【０００４】
【特許文献１】韓国特許第１０−０６４５１６３号明細書
【発明の概要】
【発明が解決しようとする課題】
【０００５】
本発明の一実施形態は、ディスプレイ装置に表示されるコンテンツの一部領域をデバイスに表示し、デバイスで生成されるコンテンツの一部領域に係わる付加情報をディスプレイ装置に反映させることができるコンテンツ表示方法を提供する。
【０００６】
また、本発明の一実施形態は、ディスプレイ装置に表示されるコンテンツの一部領域をデバイスに表示し、デバイスで変更されるコンテンツの一部領域をディスプレイ装置に表示することができるコンテンツ表示方法を提供する。
【０００７】
また、本発明の一実施形態は、ディスプレイ装置に表示されるイメージの一部領域をデバイスに拡大して表示し、デバイスで変更される一部領域のイメージをディスプレイ装置に反映させることができるコンテンツ表示方法を提供する。
【０００８】
また、本発明の一実施形態は、ディスプレイ装置に表示されるイメージ及びイメージの一部領域についての情報に基づいて、デバイスでイメージの一部領域を表示して変更することができるコンテンツ表示方法を提供する。
【課題を解決するための手段】
【０００９】
前述の技術的課題を達成するための技術的手段として、本発明の第１側面は、ディスプレイ装置に表示されたコンテンツを受信する段階と、前記受信されたコンテンツの一部領域を表示する段階と、ユーザ入力に基づいて、前記表示された一部領域に係わる付加情報を生成する段階と、前記生成された一部領域に係わる付加情報を前記ディスプレイ装置に提供する段階と、を含み、前記ディスプレイ装置に提供された付加情報は、前記ディスプレイ装置に表示されたコンテンツに反映されて表示されるものである、デバイスのコンテンツ表示方法を提供することができる。
【００１０】
また、前記付加情報は、前記表示された一部領域に係わる編集情報を含み、前記編集情報は、前記一部領域について、追加、変更または削除された線、図形及び色相のうち少なくとも一つについての情報を含んでもよい。
【００１１】
また、前記付加情報は、前記表示された一部領域に係わる領域情報を含み、前記領域情報は、前記ディスプレイ装置が、前記ディスプレイ装置に表示されたコンテンツについて、前記デバイスに表示された領域に対応する領域を表示するのに利用されてもよい。
【００１２】
また、前記受信されたコンテンツの一部領域を表示する段階は、前記ユーザ入力に基づいて、前記受信されたコンテンツの一部領域を変更して表示し、前記付加情報を前記ディスプレイ装置に提供する段階は、前記変更された一部領域に係わる座標情報を、前記ディスプレイ装置に提供することができる。
【００１３】
また、前記一部領域を変更して表示する段階は、前記デバイスの動きを感知する段階と、前記デバイスの動きに基づいて、前記受信されたコンテンツの一部領域を拡大または縮小して表示する段階と、を含んでもよい。
【００１４】
また、前記ディスプレイ装置に表示されたコンテンツを受信する段階は、前記コンテンツを前記ディスプレイ装置から受信することができる。
【００１５】
また、前記ディスプレイ装置に表示されたコンテンツを受信する段階は、前記コンテンツを、前記ディスプレイ装置、及び前記デバイスと連結された別途のサーバから受信することができる。
【００１６】
また、前記受信されたコンテンツの一部領域を表示する段階は、前記受信されたコンテンツの一部領域を拡大して表示することができる。
【００１７】
また、前記受信されたコンテンツの一部領域を表示する段階は、前記表示された一部領域の座標情報を、前記ディスプレイ装置に提供する段階と、前記表示された一部領域に係わる高画質のコンテンツを、前記ディスプレイ装置から受信する段階と、前記受信された高画質のコンテンツを表示する段階と、をさらに含んでもよい。
【００１８】
また、前記受信されたコンテンツの一部領域を表示する段階は、前記表示された一部領域の座標情報を、前記ディスプレイ装置、及び前記デバイスと連結された別途のサーバに提供する段階と、前記表示された一部領域に係わる高画質のコンテンツを、前記サーバから受信する段階と、前記受信された高画質のコンテンツを表示する段階と、をさらに含んでもよい。
【００１９】
また、本発明の第２側面は、ディスプレイ装置に表示されたコンテンツを受信する段階と、前記受信されたコンテンツの一部領域を表示する段階と、ユーザ入力に基づいて、前記表示されたコンテンツの一部領域を変更する段階と、前記変更されたコンテンツを前記ディスプレイ装置に提供する段階と、を含み、前記提供された変更されたコンテンツは、前記ディスプレイ装置で表示されるものである、デバイスのコンテンツ表示方法を提供することができる。
【００２０】
また、前記表示されたコンテンツの一部領域を変更する段階は、前記表示されたコンテンツの一部領域に付加情報を反映させることができる。
【００２１】
また、前記付加情報は、前記表示された一部領域に係わる編集情報を含み、前記編集情報は、前記一部領域について、追加、変更または削除された線、図形及び色相のうち少なくとも一つについての情報を含んでもよい。
【００２２】
また、前記付加情報は、前記表示された一部領域に係わる領域情報を含んでもよい。
【００２３】
また、前記表示されたコンテンツの一部領域を変更する段階は、前記デバイスの動きを感知する段階と、前記デバイスの動きに基づいて、前記受信されたコンテンツの一部領域を拡大または縮小して表示する段階と、を含んでもよい。
【００２４】
また、前記ディスプレイ装置に表示されたコンテンツを受信する段階は、前記コンテンツを、前記ディスプレイ装置から受信することができる。
【００２５】
また、前記ディスプレイ装置に表示されたコンテンツを受信する段階は、前記コンテンツを、前記ディスプレイ装置、及び前記デバイスと連結された別途のサーバから受信することができる。
【００２６】
また、前記受信されたコンテンツの一部領域を表示する段階は、前記受信されたコンテンツの一部領域を拡大して表示することができる。
【００２７】
また、前記受信されたコンテンツの一部領域を表示する段階は、前記表示された一部領域の座標情報を、前記ディスプレイ装置に提供する段階と、前記表示された一部領域に係わる高画質のコンテンツを、前記ディスプレイ装置から受信する段階と、前記受信された高画質のコンテンツを表示する段階と、をさらに含んでもよい。
【００２８】
また、前記受信されたコンテンツの一部領域を表示する段階は、前記表示された一部領域の座標情報を、前記ディスプレイ装置、及び前記デバイスと連結された別途のサーバに提供する段階と、前記表示された一部領域に係わる高画質のコンテンツを、前記サーバから受信する段階と、前記受信された高画質のコンテンツを表示する段階と、をさらに含んでもよい。
【００２９】
また、本発明の第３側面は、ディスプレイ装置に表示されたイメージを受信する段階と、前記受信されたイメージの一部領域を拡大する段階と、前記拡がった一部領域のイメージを表示する段階と、ユーザ入力に基づいて、前記拡大された一部領域のイメージを変更して表示する段階と、前記変更されたイメージを前記ディスプレイ装置に提供する段階と、を含み、前記提供された変更されたイメージは、前記ディスプレイ装置で表示されるものである、デバイスのコンテンツ表示方法を提供することができる。
【００３０】
また、本発明の第４側面は、ディスプレイ装置に表示されたイメージ、及び前記イメージの一部領域に関する領域情報を受信する段階と、前記受信された領域情報を利用して、前記受信されたイメージの一部領域を表示する段階と、ユーザ入力に基づいて、前記一部領域のイメージを変更する段階と、前記変更されたイメージを前記ディスプレイ装置に提供する段階と、を含み、前記ディスプレイ装置に提供された前記変更されたイメージは、前記ディスプレイ装置でディスプレイされるものである、デバイスのコンテンツ表示方法を提供することができる。
【００３１】
また、本発明の第５側面は、少なくとも１つのプログラムが保存されるメモリ；及び前記少なくとも１つのプログラムを実行することによってコンテンツを表示するプロセッサ；を含み、前記少なくとも１つのプログラムは、ディスプレイ装置に表示されたコンテンツを受信する段階と、前記受信されたコンテンツの一部領域を表示する段階と、ユーザ入力に基づいて、前記表示された一部領域に係わる付加情報を生成する段階と、前記生成された一部領域に係わる付加情報を前記ディスプレイ装置に提供する段階と、を実行する命令語を含み、前記ディスプレイ装置に提供された付加情報は、前記ディスプレイ装置に表示されたコンテンツに反映されて表示されるものである、デバイスを提供することができる。
【００３２】
また、前記付加情報は、前記表示された一部領域に係わる編集情報を含み、前記編集情報は、前記一部領域について、追加、変更または削除された線、図形及び色相のうち少なくとも一つについての情報を含んでもよい。
【００３３】
また、前記付加情報は、前記表示された一部領域に係わる領域情報を含み、前記領域情報は、前記ディスプレイ装置が、前記ディスプレイ装置に表示されたコンテンツについて、前記デバイスに表示された領域に対応する領域を表示するのに利用されてもよい。
【００３４】
また、前記受信されたコンテンツの一部領域を表示する段階は、前記ユーザ入力に基づいて、前記受信されたコンテンツの一部領域を変更して表示し、前記付加情報を前記ディスプレイ装置に提供する段階は、前記変更された一部領域に係わる座標情報を、前記ディスプレイ装置に提供することができる。
【００３５】
また、前記一部領域を変更して表示する段階は、前記デバイスの動きを感知する段階と、前記デバイスの動きに基づいて、前記受信されたコンテンツの一部領域を拡大または縮小して表示する段階と、を含んでもよい。
【００３６】
また、前記ディスプレイ装置に表示されたコンテンツを受信する段階は、前記コンテンツを、前記ディスプレイ装置から受信することができる。
【００３７】
また、前記ディスプレイ装置に表示されたコンテンツを受信する段階は、前記コンテンツを、前記ディスプレイ装置、及び前記デバイスと連結された別途のサーバから受信することができる。
【００３８】
また、前記受信されたコンテンツの一部領域を表示する段階は、前記受信されたコンテンツの一部領域を拡大して表示することができる。
【００３９】
また、前記受信されたコンテンツの一部領域を表示する段階は、前記表示された一部領域の座標情報を、前記ディスプレイ装置に提供する段階と、前記表示された一部領域に係わる高画質のコンテンツを、前記ディスプレイ装置から受信する段階と、前記受信された高画質のコンテンツを表示する段階と、をさらに含んでもよい。
【００４０】
また、前記受信されたコンテンツの一部領域を表示する段階は、前記表示された一部領域の座標情報を、前記ディスプレイ装置、及び前記デバイスと連結された別途のサーバに提供する段階と、前記表示された一部領域に係わる高画質のコンテンツを、前記サーバから受信する段階と、前記受信された高画質のコンテンツを表示する段階と、をさらに含んでもよい。
【００４１】
また、本発明の第６側面は、少なくとも１つのプログラムが保存されるメモリ；及び前記少なくとも１つのプログラムを実行することによってコンテンツを表示させるプロセッサ；を含み、前記少なくとも１つのプログラムは、ディスプレイ装置に表示されたコンテンツを受信する段階と、前記受信されたコンテンツの一部領域を表示する段階と、ユーザ入力に基づいて、前記表示されたコンテンツの一部領域を変更する段階と、前記変更されたコンテンツを前記ディスプレイ装置に提供する段階と、を実行する命令語を含み、前記提供された変更されたコンテンツは、前記ディスプレイ装置で表示されてもよい。
【００４２】
また、前記表示されたコンテンツの一部領域を変更する段階は、前記表示されたコンテンツの一部領域に付加情報を反映させることができる。
【００４３】
また、前記付加情報は、前記表示された一部領域に係わる編集情報を含み、前記編集情報は、前記一部領域について、追加、変更または削除された線、図形及び色相のうち少なくとも一つについての情報を含んでもよい。
【００４４】
また、前記付加情報は、前記表示された一部領域に係わる領域情報を含んでもよい。
【００４５】
また、前記表示されたコンテンツの一部領域を変更する段階は、前記デバイスの動きを感知する段階と、前記デバイスの動きに基づいて、前記受信されたコンテンツの一部領域を拡大または縮小して表示する段階と、を含んでもよい。
【００４６】
また、前記ディスプレイ装置に表示されたコンテンツを受信する段階は、前記コンテンツを、前記ディスプレイ装置から受信することができる。
【００４７】
また、前記ディスプレイ装置に表示されたコンテンツを受信する段階は、前記コンテンツを、前記ディスプレイ装置、及び前記デバイスと連結された別途のサーバから受信することができる。
【００４８】
また、前記受信されたコンテンツの一部領域を表示する段階は、前記受信されたコンテンツの一部領域を拡大して表示することができる。
【００４９】
また、前記受信されたコンテンツの一部領域を表示する段階は、前記表示された一部領域の座標情報を、前記ディスプレイ装置に提供する段階と、前記表示された一部領域に係わる高画質のコンテンツを、前記ディスプレイ装置から受信する段階と、前記受信された高画質のコンテンツを表示する段階と、をさらに含んでもよい。
【００５０】
また、前記受信されたコンテンツの一部領域を表示する段階は、前記表示された一部領域の座標情報を、前記ディスプレイ装置、及び前記デバイスと連結された別途のサーバに提供する段階と、前記表示された一部領域に係わる高画質のコンテンツを、前記サーバから受信する段階と、前記受信された高画質のコンテンツを表示する段階と、をさらに含んでもよい。
【００５１】
また、本発明の第７側面は、少なくとも１つのプログラムが保存されるメモリ；及び前記少なくとも１つのプログラムを実行することによってコンテンツを表示させるプロセッサ；を含み、前記少なくとも１つのプログラムは、ディスプレイ装置に表示されたイメージを受信する段階と、前記受信されたイメージの一部領域を拡大する段階と、前記拡大された一部領域のイメージを表示する段階と、ユーザ入力に基づいて、前記拡大された一部領域のイメージを変更して表示する段階と、前記変更されたイメージを前記ディスプレイ装置に提供する段階と、を実行する命令語を含み、前記提供された変更されたイメージは、前記ディスプレイ装置で表示されるものである、デバイスを提供することができる。
【００５２】
また、本発明の第８側面は、少なくとも１つのプログラムが保存されるメモリ；及び前記少なくとも１つのプログラムを実行することによってコンテンツを表示させるプロセッサ；を含み、前記少なくとも１つのプログラムは、ディスプレイ装置に表示されたイメージ、及び前記イメージの一部領域に関する領域情報を受信する段階と、前記受信された領域情報を利用して、前記受信されたイメージの一部領域を表示する段階と、ユーザ入力に基づいて、前記一部領域のイメージを変更する段階と、前記変更されたイメージを前記ディスプレイ装置に提供する段階と、を実行する命令語を含み、前記ディスプレイ装置に提供された前記変更されたイメージは、前記ディスプレイ装置でディスプレイされるものである、デバイスを提供することができる。
【図面の簡単な説明】
【００５３】
【図１】本発明の一実施形態によるディスプレイ装置と複数のデバイスとの間で共有コンテンツを表示する一例を図示した図面である。
【図２】本発明の一実施形態によるデバイスが、ディスプレイ装置に表示されたコンテンツの一部領域を表示し、コンテンツ及びコンテンツの一部領域についての付加情報を、ディスプレイ装置と送受信する一例を概略的に図示した図面である。
【図３】本発明の一実施形態によるディスプレイ装置とデバイスとが共有コンテンツを表示する方法のフローチャートである。
【図４】本発明の一実施形態による段階Ｓ３１０（図３）で、デバイスがコンテンツの一部領域をディスプレイする方法の詳細フローチャートである。
【図５】本発明の一実施形態による段階Ｓ３２０（図３）で、デバイスがコンテンツの一部領域についての付加情報を生成する方法の詳細フローチャートである。
【図６】本発明の一実施形態によるディスプレイ装置に表示されたコンテンツの一部領域が、複数のデバイスにそれぞれ表示され、それぞれのデバイスで生成された編集情報がディスプレイ装置に表示される一例を図示した図面である。
【図７】本発明の一実施形態によるデバイスが、動きによって、デバイスに表示されたコンテンツの一部領域が移動して表示される一例を図示した図面である。
【図８】本発明の一実施形態によるディスプレイ装置に表示されたコンテンツの一部領域が、デバイスで拡大されて表示される一例を図示した図面である。
【図９】本発明の一実施形態によるデバイスとディスプレイ装置との間で、コンテンツ及びコンテンツの一部領域に係わる付加情報が、サーバを介して共有されて表示される一例を図示した図面である。
【図１０】本発明の一実施形態によるディスプレイ装置とデバイスとが、サーバを介して共有コンテンツを表示する方法のフローチャートである。
【図１１】本発明の他の実施形態によるディスプレイ装置とデバイスとが、サーバを介して共有コンテンツを表示する方法のフローチャートである。
【図１２】本発明の一実施形態によるコンテンツが地図イメージである場合、ディスプレイ装置及びデバイスに表示されたコンテンツの一例を図示した図面である。
【図１３】本発明の一実施形態によるコンテンツが地下鉄路線図イメージである場合、ディスプレイ装置及びデバイスに表示されたコンテンツの一例を図示した図面である。
【図１４】本発明の一実施形態によるコンテンツがＥＰＧ（electronic program guide）イメージである場合、ディスプレイ装置及びデバイスに表示されたコンテンツの一例を図示した図面である。
【図１５】本発明の一実施形態によるコンテンツが、ウェブブラウザ画面である場合、ディスプレイ装置及びデバイスに表示されたコンテンツの一例を図示した図面である。
【図１６】本発明の一実施形態によるデバイスのブロック図である。
【図１７】本発明の他の実施形態によるデバイスのブロック図である。
【図１８】本発明の一実施形態によるディスプレイ装置のブロック図である。
【図１９】本発明の他の実施形態による複数のデバイスで生成された編集情報が、ディスプレイ装置に表示される一例を図示した図面である。
【発明を実施するための形態】
【００５４】
以下、添付した図面を参照して、本発明が属する技術分野で当業者が容易に実施することができるように、本発明の実施形態について詳細に説明する。しかし、本発明は、さまざまに異なる形態で具現され、ここで説明する実施形態に限定されるものではない。そして、図面で本発明について、明確に説明するために説明と係わりのない部分は省略し、明細書全体を通じて類似した部分については、類似した図面符号を付した。
【００５５】
明細書全体で、ある部分が他の部分と「連結」されているとするとき、それは、「直接に連結」されている場合だけではなく、その中間に、他の素子を介在させて「電気的に連結」されている場合も含む。また、ある部分がある構成要素を「含む」とするとき、それは特別に反対になる記載がない限り、他の構成要素を除外するものではなく、他の構成要素をさらに含んでもよいということを意味する。
【００５６】
また、本明細書でコンテンツは、動映像、静止映像、テキストなどのように、デバイス及びディスプレイ装置の画面に表示される客体を意味する。また、コンテンツの一部領域がディスプレイされるということは、コンテンツの出力映像の一部領域がディスプレイされるということを意味する。以下、添付された図面を参照して、本発明について詳細に説明する。
【００５７】
図１は、本発明の一実施形態によるディスプレイ装置とデバイスの間で、共有コンテンツを表示する一例を図示した図面である。
【００５８】
図１を参照すれば、ディスプレイ装置２０００に所定のコンテンツがディスプレイされ、デバイス１０００には、ディスプレイ装置２０００に表示されたコンテンツの一部領域がディスプレイされる。ディスプレイ装置２０００は、デバイス１０００の外部に位置することができる。
【００５９】
また、ディスプレイ装置２０００は、デバイス１０００の画面に表示された一部領域のコンテンツに対応する領域を、ディスプレイ装置２０００に表示されたコンテンツに表示することができる。
【００６０】
また、ユーザは、スタイラスのような入力ツールを利用して、デバイス１０００の画面に表示された一部領域のコンテンツを編集することができ、ディスプレイ装置２０００は、デバイス１０００で編集された情報をデバイス１０００から受信し、ディスプレイ装置２０００に反映させて表示することができる。しかし、それらに制限されるものではなく、ユーザは、音声を利用して、デバイス１０００の画面に表示された一部領域のコンテンツを編集することもできる。
【００６１】
また、デバイス１０００は、デバイス１０００に設置された所定のアプリケーションを実行させ、実行されたアプリケーションを介して、ディスプレイ装置２０００に表示されたコンテンツを受信、表示及び編集することができる。その場合、デバイス１０００は、デバイス１０００に設置されたアプリケーションを、ユーザ入力に基づいて実行させることができるが、それに制限されるものではない。デバイス１０００が、ディスプレイ装置２０００からすでに設定された範囲内に近接することにより、デバイス１０００は、デバイス１０００に設置されたアプリケーションを実行させることもできる。
【００６２】
また、デバイス１０００は、ディスプレイ装置２０００及び他のデバイス（図示せず）に提供されるコンテンツ共有サービスに係わるサービス提供リストのうち一つを選択することによって、ディスプレイ装置２０００に表示されたコンテンツを受信、表示及び編集することができる。
【００６３】
ディスプレイ装置２０００は、デジタルＴＶ（television）、キオスク、スマートフォン、携帯電話、ＰＤＡ（personal digital assistant）、ラップトップ、メディアプレーヤ、ＧＰＳ（global positioning system）装置、及びその他モバイルコンピュータ装置または非モバイルコンピュータ装置であるが、それらに制限されるものではない。また、ディスプレイ装置２０００は、電子黒板、タッチテーブルなどのように、タッチ入力を受信することができる多様な装置を含んでもよい。
【００６４】
デバイス１０００は、スマートフォン、携帯電話、ＰＤＡ、ラップトップ、メディアプレーヤ，ＧＰＳ装置、及びその他モバイルコンピュータ装置または非モバイルコンピュータ装置であるが、それらに制限されるものではない。
【００６５】
図２は、本発明の一実施形態によるデバイス１０００が、ディスプレイ装置２０００に表示されたコンテンツの一部領域を表示し、コンテンツ及びコンテンツの一部領域についての付加情報を、ディスプレイ装置２０００と送受信する一例を概略的に図示した図面である。
【００６６】
図２を参照すれば、ディスプレイ装置２０００及びデバイス１０００は、別途のサーバ（図示せず）なしに、互いにコンテンツを共有して表示することができる。ディスプレイ装置２０００は、ディスプレイ装置２０００に表示されたコンテンツをデバイス１０００に提供し、デバイス１０００は、受信されたコンテンツの一部領域を画面にディスプレイすることができる。また、デバイス１０００は、一部領域についての付加情報をディスプレイ装置２０００に提供することによって、デバイス１０００で表示されるコンテンツの一部領域、及びこれについて編集された事項を、ディスプレイ装置２０００に表示されたコンテンツに反映させることができる。
【００６７】
デバイス１０００は、一部領域に係わる領域情報、及び一部領域に係わる編集情報をディスプレイ装置２０００に提供することができ、ディスプレイ装置２０００は、受信された領域情報及び編集情報を利用して、デバイス１０００に表示されているコンテンツの一部領域に対応する領域をコンテンツに表示し、デバイス１０００で編集された事項をコンテンツに反映させて表示することができる。
【００６８】
図３は、本発明の一実施形態によるディスプレイ装置２０００とデバイス１０００とが、共有コンテンツを表示する方法のフローチャートである。
【００６９】
段階Ｓ３００で、ディスプレイ装置２０００は、デバイス１０００に、ディスプレイ装置２０００にディスプレイされたコンテンツを提供する。ディスプレイ装置２０００は、ディスプレイ装置にディスプレイされているコンテンツのファイルを、デバイス１０００に提供することができる。また、ディスプレイ装置２０００は、コンテンツをダウンロードすることができるリンク情報を、デバイス１０００に提供することもできる。コンテンツは、例えば、動映像、静止映像、テキストを含んでもよいが、それらに制限されるものではない。コンテンツは、例えば、カメラを介して撮影されたイメージ、キャプチャイメージ、絵イメージ、地図イメージ、地下鉄路線図イメージ、バス路線図イメージ、ＥＰＧ（electronic program guide）情報、コンテンツブラウジング画面、アプリケーションブラウジング画面、ウェプページ、ワープロプログラムの実行画面、放送映像を含むが、それらに制限されるものではない。
【００７０】
段階Ｓ３００では、ディスプレイ装置２０００がデバイス１０００に、共有するコンテンツを提供すると説明したが、それに制限されるものではなく、デバイス１０００がディスプレイ装置に、共有するコンテンツを提供することもできる。
【００７１】
段階Ｓ３１０で、デバイス１０００は、受信されたコンテンツの一部領域をディスプレイする。段階Ｓ３１０で、デバイス１０００は、受信されたコンテンツの一部領域のみをディスプレイすることができるが、それに制限されるものではない。デバイス１０００がコンテンツを受信することにより、デバイス１０００は、コンテンツの既設定領域を画面にディスプレイすることができる。その場合、デバイス１０００は、既設定領域についての情報をディスプレイ装置２０００からあらかじめ受信することができる。既設定領域についての情報は、例えば、デバイス１０００が、ディスプレイ装置２０００に表示されたコンテンツのうちいずれの領域を表示しなければならないかについての情報、デバイス１０００がいかなる解像度でコンテンツの一部領域を表示しなければならないかについての情報などを含んでもよい。
【００７２】
また、既設定領域は、デバイス１０００の解像度及びコンテンツの解像度に基づいて、ディスプレイ装置２０００またはデバイス１０００によってあらかじめ決まり、デバイス１０００は、受信されたコンテンツの解像度を確認し、受信されたコンテンツのうち表示する領域を決定することができる。
【００７３】
また、デバイス１０００は、ユーザ入力に基づいて、コンテンツの一部領域をディスプレイすることもできる。その場合、デバイス１０００は、受信されたコンテンツの全体領域を画面にディスプレイし、画面にディスプレイされた全体領域のコンテンツに係わるユーザ入力に基づいて、コンテンツの一部領域を選択することができる。また、デバイス１０００は、選択された一部領域をデバイス１０００の画面全体にディスプレイすることができる。
【００７４】
また、デバイス１０００は、画面に表示されたコンテンツの一部領域に係わる関連情報をディスプレイすることもできる。その場合、コンテンツの一部領域に係わる関連情報は別途のサーバ（図示せず）から受信することができる。コンテンツの一部領域に係わる関連情報は、例えば、コンテンツの一部領域に含まれた客体（例えば、衣類）に係わる製品情報を含んでもよいが、それに制限されるものではない。
【００７５】
また、デバイス１０００は、ユーザ入力に基づいて、コンテンツの一部領域を変更してディスプレイすることができる。具体的には、デバイス１０００は、ユーザ入力に基づいて、コンテンツの一部領域を、コンテンツの全体領域のうち異なる一部領域に移動させてディスプレイすることができる。また、デバイス１０００は、ユーザ入力に基づいて、コンテンツの一部領域を拡大または縮小して表示することができる。デバイス１０００がコンテンツの一部領域をディスプレイする具体的な方法については、図４でさらに詳細に説明する。
【００７６】
段階Ｓ３２０で、デバイス１０００は、コンテンツの一部領域に係わる付加情報を生成する。付加情報は、コンテンツの一部領域に係わる領域情報、及びコンテンツの一部領域に係わる編集情報を含んでもよい。領域情報は、デバイス１０００の画面に表示されたコンテンツの一部領域が、コンテンツの全体領域で、いずれの領域に位置するかを示す情報を意味し、例えば、座標情報を含んでもよい。また、編集情報は、デバイス１０００の画面に表示されたコンテンツの一部領域の編集と係わる情報として、例えば、一部領域について変更された線、図形及び色相についての情報を含んでもよい。また、編集情報は、イメージ、テキスト、音声及び編集のための制御命令を含んでもよい。デバイス１０００がコンテンツの一部領域に係わる付加情報を生成する具体的な方法については、図５でさらに詳細に説明する。
【００７７】
また、付加情報は、ディスプレイ装置２０００を制御するための制御命令を含むこともできる。例えば、ディスプレイ装置２０００にプログラムのリストが表示された場合、デバイス１０００は、所定のプログラムを再生するための制御命令を付加情報として生成することができる。
【００７８】
段階Ｓ３３０で、デバイス１０００は、生成された付加情報をディスプレイ装置２０００に提供する。デバイス１０００は、付加情報をディスプレイ装置２０００に直接提供することができるが、それに制限されるものではない。デバイス１０００は、付加情報を、別途のサーバ（図示せず）を経由してディスプレイ装置２０００に提供することもできる。その場合、付加情報は、別途のサーバ（図示せず）に保存されてもよい。
【００７９】
段階Ｓ３４０で、ディスプレイ装置２０００は、受信された付加情報をコンテンツに表示する。ディスプレイ装置２０００は、デバイス１０００から受信された領域情報に基づいて、ディスプレイ装置２０００に表示されたコンテンツの全体領域のうち、デバイス１０００でディスプレイされている領域に対応する部分を、区別して表示することができる。例えば、ディスプレイ装置２０００は、デバイス１０００でディスプレイされている領域に対応する部分を、所定の色相及びパターンを有する枠を利用して表示することができる。もし、ディスプレイ装置２０００に表示されたコンテンツの一部領域をディスプレイするデバイスが複数である場合、ディスプレイ装置２０００は、デバイス別に区別される色相及びパターンを有する枠を利用して、デバイスそれぞれで表示されている領域を、ディスプレイ装置２０００に表示されたコンテンツ上に表示することができる。
【００８０】
また、ディスプレイ装置２０００は、デバイス１０００から受信された編集情報に基づいて、デバイス１０００で編集された事項を、ディスプレイ装置２０００にディスプレイされているコンテンツに反映させて表示することができる。
【００８１】
図３では、デバイス１０００がディスプレイ装置２０００に、コンテンツの一部領域に係わる付加情報を提供し、ディスプレイ装置２０００が、付加情報をディスプレイ装置２０００に表示されたコンテンツに反映すると説明したが、それに制限されるものではない。デバイス１０００は、コンテンツの一部領域を表示して変更することができ、表示された一部領域または変更された一部領域のコンテンツを、ディスプレイ装置２０００に提供することができる。また、デバイス１０００は、一部領域が変更された全体コンテンツをディスプレイ装置２０００に提供することができる。その場合、デバイス１０００は、所定の映像処理を介して、編集情報及び座標情報を含む付加情報をコンテンツに反映させることができる。ディスプレイ装置２０００は、編集情報が反映されたコンテンツをデバイス１０００から受信し、ディスプレイすることができる。
【００８２】
図４は、本発明の一実施形態による段階Ｓ３１０（図３）で、デバイス１０００がコンテンツの一部領域をディスプレイする方法の詳細フローチャートである。
【００８３】
段階Ｓ３１２で、デバイス１０００は、コンテンツの一部領域を移動させて表示する。デバイス１０００は、コンテンツの一部領域を、コンテンツの全体領域のうち他の一部領域に移動させ、移動された後の一部領域を画面に表示することができる。
【００８４】
デバイス１０００は、デバイス１０００の動きを感知し、デバイス１０００の動きによって、コンテンツの一部領域を、いずれの方向に移動させるかを決定することができる。例えば、ユーザが、デバイス１０００を右側に移動させれば、デバイス１０００は、コンテンツの一部領域をコンテンツの右側に移動させることができる。また、デバイス１０００は、デバイス１０００が移動した距離を感知し、デバイス１０００の移動距離に基づいて、既設定の数値ほどコンテンツの一部領域をコンテンツ上で移動させることができる。その場合、デバイス１０００は、例えば、ジャイロセンサ，加速度センサ及び重力センサを利用して、デバイス１０００の動きを感知することができるが、それらに制限されるものではない。
【００８５】
また、デバイス１０００は、ユーザのタッチ入力に基づいて、コンテンツの一部領域を移動させることもできる。例えば、ユーザが、デバイス１０００の画面にディスプレイされたコンテンツの一部領域をタッチし、右側にドラッグする入力を行う場合、デバイス１０００は、コンテンツの一部領域を、右側に移動させることができる。また、例えば、ユーザが、デバイス１０００の画面にディスプレイされたコンテンツの一部領域について、下側方向にスワイプ（swipe）入力を行う場合、デバイス１０００は、コンテンツの一部領域を下側に移動させることができる。
【００８６】
また、デバイス１０００は、コンテンツの一部領域を移動させた場合、移動された一部領域の領域情報を、ディスプレイ装置２０００に提供することができる。これを介して、ディスプレイ装置２０００は、デバイス１０００によって移動された領域に対応する領域を、ディスプレイ装置２０００に表示されたコンテンツ上に表示することができる。
【００８７】
段階Ｓ３１４で、デバイス１０００は、一部領域のコンテンツを拡大または縮小して表示する。
【００８８】
デバイス１０００は、デバイス１０００の動きを感知し、デバイス１０００の動きによって、コンテンツの一部領域を拡大させるか、縮小させるかを決定することができる。例えば、ユーザがデバイス１０００を、デバイス１０００の画面の前方に移動させれば、デバイス１０００は、コンテンツの一部領域を拡大させることができる。また、例えば、ユーザがデバイス１０００を、デバイス１０００の画面の後方に移動させれば、デバイス１０００は、コンテンツの一部領域を縮小させることができる。デバイス１０００は、デバイス１０００が動いた距離を感知し、デバイス１０００の移動距離に基づいて、既設定の数値ほどコンテンツの一部領域を拡大または縮小させることができる。その場合、デバイス１０００は、例えば、ジャイロセンサ，加速度センサ及び重力センサを利用してデバイス１０００の動きを感知することができるが、それらに制限されるものではない。
【００８９】
また、デバイス１０００は、ユーザのタッチ入力に基づいて、コンテンツの一部領域を拡大または縮小することができる。例えば、デバイス１０００は、ユーザのアンピンチング（unpinching）入力に基づいて、コンテンツの一部領域を拡大して表示することができる。また、例えば、デバイス１０００は、ユーザのピンチング（pinching）入力に基づいて、コンテンツの一部領域を縮小して表示することができる。
【００９０】
また、デバイス１０００は、コンテンツの一部領域を拡大または縮小した後、拡大または縮小された一部領域の領域情報を、ディスプレイ装置２０００に提供することができる。これを介して、ディスプレイ装置２０００は、デバイス１０００によって拡大または縮小された領域に対応する領域を、ディスプレイ装置２０００に表示されたコンテンツ上に表示することができる。
【００９１】
一方、デバイス１０００は、コンテンツの一部領域を拡大して表示する場合、コンテンツの一部領域に係わる高画質のファイルを受信することができる。また、コンテンツの一部領域に係わる高画質のファイルは、ディスプレイ装置２０００または別途のサーバ（図示せず）から受信することができる。その場合、デバイス１０００は、デバイス１０００に表示された一部領域の座標情報をディスプレイ装置２０００に提供し、ディスプレイ装置２０００から、デバイス１０００に表示された一部領域に係わる高画質のコンテンツを受信することができる。また、デバイス１０００は、デバイス１０００に表示された一部領域の座標情報を、ディスプレイ装置２０００、及びデバイス１０００と連結された別途のサーバ３０００（図９）に提供し、サーバ３０００から、デバイス１０００に表示された一部領域に係わる高画質のコンテンツを受信することもできる。
【００９２】
しかし、それらに制限されるものではなく、デバイス１０００は、コンテンツの一部領域を拡大して表示する場合、コンテンツの一部領域を高画質の映像に映像処理して表示することもできる。
【００９３】
図５は、本発明の一実施形態による段階Ｓ３２０（図３）で、デバイス１０００がコンテンツの一部領域についての付加情報を生成する方法の詳細フローチャートである。
【００９４】
段階Ｓ３２２で、デバイス１０００は、ディスプレイされた一部領域に係わる領域情報を獲得する。デバイス１０００は、コンテンツの全体領域のうち、デバイス１０００の画面にディスプレイされた一部領域がいずれの位置に該当するかについての領域情報を獲得することができる。デバイス１０００は、例えば、コンテンツの一部領域の座標値を獲得することができる。
【００９５】
段階Ｓ３２４で、デバイス１０００は、ディスプレイされた一部領域に係わる編集情報を生成する。段階Ｓ３２４で、デバイス１０００は、ユーザ入力に基づいて、ディスプレイされた一部領域を編集することができ、編集された事項に係わる情報を生成することができる。例えば、デバイス１０００は、コンテンツの一部領域の一部分を切り取り、コピーし、貼り付けることができる。また、例えば、デバイス１０００は、コンテンツの一部領域に、線、図形及び色相を、追加または削除することができる。その場合、ユーザは、スタイラスのような入力ツールを利用して、デバイス１０００の画面をタッチまたはドラッグすることによって、コンテンツの一部領域に、線、図形及び色相を追加または削除することができる。また、例えば、デバイス１０００は、コンテンツの一部領域に表示された線、図形及び色相を変更することができる。また、例えば、デバイス１０００は、コンテンツの一部領域に表示されたイメージの明度及び彩度を変更することもできる。
【００９６】
また、その場合、デバイス１０００の画面には、コンテンツの一部領域を編集することができるユーザ・インターフェース（ＵＩ：user interface）が出力されてもよい。ユーザ・インターフェース（ＵＩ）は、例えば、色相、明度及び彩度を変更させるＵＩを含んでもよい。また、ユーザ・インターフェースは、所定の領域を選択し、切り取り、コピー、貼り付けを可能にするＵＩを含んでもよい。また、ユーザ・インターフェースは、コンテンツの一部領域に、スティッカ・イメージを追加して表示させるＵＩを提供することができる。また、ユーザ・インターフェースは、手またはスタイラスを利用して、コンテンツの一部領域に、線または図形を描かせるＵＩを提供することができる。
【００９７】
また、編集情報は、コンテンツの一部領域を編集するためのユーザの音声であってもよい。デバイス１０００は、ユーザの音声を、ディスプレイ装置２０００に提供することができ、ディスプレイ装置２０００は、デバイス１０００から受信されたユーザの音声を解析し、コンテンツの一部領域を編集することができる。その場合、ディスプレイ装置２０００は、編集のための制御命令を保存することができ、制御命令は、ユーザの音声にマッチングされてもよい。また、ディスプレイ装置２０００は、保存された制御命令を利用して、受信されたユーザの音声によって、コンテンツの一部領域を編集することができる。
【００９８】
また、デバイス１０００は、ユーザの音声に基づいて、編集情報を生成することができる。デバイス１０００は、ユーザの音声をテキストに変換し、変換されたテキストをディスプレイ装置２０００に提供することができる。例えば、ユーザが「木」と言えば、デバイス１０００は、ユーザの音声から、テキストである「木」を生成することができ、生成されたテキスト（「木」）をディスプレイ装置２０００に提供することができる。また、デバイス１０００は、ユーザの音声に基づいて、コンテンツの編集のための制御命令を編集情報として生成することができる。例えば、ユーザが「明度上昇」と言えば、デバイス１０００は、ユーザの音声を解析し、コンテンツの一部領域の明度を上昇させるための制御命令を生成することができ、生成された制御命令をディスプレイ装置２０００に提供することができる。
【００９９】
段階Ｓ３２６で、デバイス１０００は、ディスプレイされた一部領域が変更されたか否かを判断する。デバイス１０００にディスプレイされた一部領域のコンテンツが、コンテンツの全体領域のうち他の領域に移動されるか、あるいは拡大または縮小されたかを判断することができる。
【０１００】
段階Ｓ３２８で、デバイス１０００は、変更された一部領域に係わる領域情報を獲得する。デバイス１０００は、コンテンツの全体領域のうち、デバイス１０００の画面にディスプレイされた一部領域がいずれの位置に移動したかについての領域情報を獲得することができる。デバイス１０００は、デバイス１０００の画面で、拡大または縮小された後の一部領域が、コンテンツの全体領域のうちいずれの位置に該当するかについての領域情報を獲得することができる。デバイス１０００は、例えば、変更された一部領域に係わる座標値を獲得することができる。
【０１０１】
図６は、本発明の一実施形態によるディスプレイ装置２０００に表示されたコンテンツの一部領域が、複数のデバイス１０９０，１０９５にそれぞれ表示され、それぞれのデバイス１０９０，１０９５で生成された編集情報が、ディスプレイ装置に表示される一例を図示した図面である。
【０１０２】
図６を参照すれば、ディスプレイ装置２０００に表示されたコンテンツの一部領域が、デバイス１０９０及びデバイス１０９５にそれぞれ表示されている。また、デバイス１０９０は、スタイラスを介したユーザ入力に基づいて、デバイス１０９０に表示された一部領域のコンテンツを編集することができる。また、デバイス１０９５も、スタイラスを介したユーザ入力に基づいて、デバイス１０９５に表示された一部領域のコンテンツを編集することができる。
【０１０３】
また、ディスプレイ装置２０００は、デバイス１０９０で生成された編集情報を、デバイス１０９０から受信し、ディスプレイ装置２０００に表示されたコンテンツに反映させることができ、デバイス１０９５で生成された編集情報を、デバイス１０９５から受信し、ディスプレイ装置２０００に表示されたコンテンツに反映させることができる。
【０１０４】
また、ディスプレイ装置２０００は、デバイス１０９０の画面に表示されている一部領域のコンテンツに対応する領域を、枠１を利用して表示することができる。また、ディスプレイ装置２０００は、デバイス１０９５の画面に表示されている一部領域のコンテンツに対応する領域を枠２を利用して表示することができる。その場合、ディスプレイ装置２０００は、枠１及び枠２の色相及びパターンのうち少なくとも一つを異なって表示することによって、デバイス１０９０及びデバイス１０９５で表示される領域を区別して表示することができる。また、ディスプレイ装置２０００は、デバイス１０９０の識別値を枠１の周辺に表示し、デバイス１０９５の識別値を枠２の周辺に表示することもできる。
【０１０５】
また、デバイス１０９０は、ユーザの音声に基づいて、編集情報を生成し、生成された編集情報を、ディスプレイ装置２０００に提供することができる。例えば、ユーザが「木」と言えば、デバイス１０９０は、ユーザの音声をテキスト（「木」）に変換することができる。また、デバイス１０９０は、テキスト（「木」）をディスプレイ装置２０００に提供することができ、ディスプレイ装置２０００は、枠１内の所定領域に「木」を挿入することができる。
【０１０６】
また、デバイス１０９０及びデバイス１０９５によって生成された編集情報は、コンテンツに反映され、ディスプレイ装置２０００及び別途のサーバ（図示せず）のうち少なくとも一つに保存され、その後、編集情報が反映されたコンテンツが、デバイス１０９０及びデバイス１０９５に提供されてもよい。
【０１０７】
また、図６で、デバイス１０９０，デバイス１０９５及びディスプレイ装置２０００は、宅内に共に位置することができるが、それに制限されるものではない。デバイス１０９０，デバイス１０９５及びディスプレイ装置２０００のうち少なくとも一つが宅外に位置することもできる。その場合、宅内に位置した機器は、ローカル通信を介して、互いにデータを送受信することができ、宅内に位置した機器と宅外に位置した機器は、広域ネットワークを介して、互いにデータを送受信することができる。
【０１０８】
図７は、本発明の一実施形態によるデバイス１０００が、動きによって、デバイス１０００に表示されたコンテンツの一部領域が移動して表示される一例を図示した図面である。
【０１０９】
図７を参照すれば、ディスプレイ装置２０００は、デバイス１０００で表示されている一部領域のコンテンツに対応する領域を、ディスプレイ装置２０００に表示されたコンテンツ上に所定の枠５を利用して表示する。また、ユーザがデバイス１０００を下方向に動かす場合、デバイス１０００は、デバイス１０００の動きを感知し、デバイス１０００が動いた距離に基づいて、デバイス１０００に表示されたコンテンツの一部領域を移動させることができる。その場合、デバイス１０００は、移動された一部領域に係わる領域情報をディスプレイ装置２０００に提供することができ、ディスプレイ装置２０００は、枠５を移動させ、デバイス１０００で表示されている移動された一部領域に対応する領域を表示することができる。
【０１１０】
図７では、デバイス１０００の動きに基づいて、デバイス１０００で表示されたコンテンツの一部領域が移動されると説明したが、それに制限されるものではない。デバイス１０００の画面に係わるユーザのタッチ入力に基づいて、デバイス１０００で表示されたコンテンツの一部領域が移動されもする。
【０１１１】
図８は、本発明の一実施形態によるディスプレイ装置２０００に表示されたコンテンツの一部領域が、デバイス１０００で拡大されて表示される一例を図示した図面である。
【０１１２】
図８を参照すれば、ディスプレイ装置２０００にディスプレイされたコンテンツの一部領域６に対応する映像が、デバイス１０００の画面に表示される。デバイス１０００は、ユーザ入力に基づいて、画面上に表示された映像を、拡大または縮小することができる。例えば、ユーザのアンピンチング入力に基づいて、デバイス１０００は、画面上に表示された映像を拡大することができる。また、デバイス１０００は、映像を拡大した後、デバイス１０００の画面に表示された拡大された映像に係わる領域情報をディスプレイ装置２０００に提供することができる。また、ディスプレイ装置２０００は、デバイス１０００の画面で拡大された映像の領域情報を受信し、受信された領域情報をディスプレイ装置２０００にディスプレイされたコンテンツに反映させ、一部領域６の枠を縮小することができる。
【０１１３】
図９は、本発明の一実施形態によるデバイス１０００と、ディスプレイ装置２０００との間で、コンテンツ及びコンテンツの一部領域に係わる付加情報が、サーバ３０００を介して共有されて表示される一例を図示した図面である。
【０１１４】
図９を参照すれば、ディスプレイ装置２０００及びデバイス１０００は、サーバ３０００を介して、コンテンツを共有して表示することができる。サーバ３０００は、ディスプレイ装置２０００とデバイス１０００とが共有するコンテンツを、ディスプレイ装置２０００とデバイス１０００とに提供することができ、ディスプレイ装置２０００及びデバイス１０００は、コンテンツを画面にディスプレイすることができる。また、サーバ３０００は、宅内または宅外に位置することができる。サーバ３０００が宅内に位置した場合、サーバ３０００は、ゲートウェイ装置であってもよいが、それに制限されるものではない。また、デバイス１０００は、コンテンツの一部領域をディスプレイすることができ、一部領域に係わる付加情報を生成し、生成された付加情報を、サーバ３０００を経由して、ディスプレイ装置２０００に提供することができる。具体的には、デバイス１０００は、一部領域に係わる領域情報、及び一部領域に係わる編集情報を、サーバ３０００を経由して、ディスプレイ装置２０００に提供することができ、ディスプレイ装置２０００は、受信された領域情報及び編集情報を利用して、デバイス１０００で表示されているコンテンツの一部領域に対応する領域をコンテンツに表示し、デバイス１０００で編集された事項を、コンテンツに反映させて表示することができる。しかし、それに制限されるものではなく、サーバ３０００が、デバイス１０００から受信された付加情報に基づいて、デバイス１０００とディスプレイ装置２０００との間で共有されるコンテンツを編集することができ、編集されたコンテンツをディスプレイ装置２０００に提供することもできる。
【０１１５】
また、デバイス１０９１が、サーバ３０００を介して、ディスプレイ装置２０００に連結されもする。その場合、ディスプレイ装置２０００及びデバイス１０００は、宅内に位置し、デバイス１０９１は、宅外に位置するが、それに制限されるものではない。
【０１１６】
図１０は、本発明の一実施形態による、ディスプレイ装置２０００とデバイス１０００とが、サーバ３０００を介して共有コンテンツを表示する方法のフローチャートである。図１０では、サーバ３０００がデバイス１０００から受信された付加情報をディスプレイ装置２０００に提供し、ディスプレイ装置２０００が付加情報をコンテンツに反映させてディスプレイすることができる。
【０１１７】
段階Ｓ１０００及び段階Ｓ１０１０で、サーバ３０００は、ディスプレイ装置２０００及びデバイス１０００に、コンテンツを提供する。サーバ３０００は、ディスプレイ装置２０００とデバイス１０００とが共有するコンテンツを、ディスプレイ装置２０００及びデバイス１０００のうち少なくとも一つに提供することができる。コンテンツは、例えば、動映像、静止映像、テキストを含んでもよいが、それに制限されるものではない。
【０１１８】
サーバ３０００が提供するコンテンツは、ディスプレイ装置２０００に保存されたコンテンツであってもよい。その場合、サーバ３０００は、ディスプレイ装置２０００からコンテンツを受信し、受信されたコンテンツを、デバイス１０００に提供することができる。また、サーバ３０００が提供するコンテンツは、デバイス１０００に保存されたコンテンツであってもよい。その場合、サーバ３０００は、デバイス１０００からコンテンツを受信し、受信されたコンテンツをディスプレイ装置２０００に提供することができる。
【０１１９】
段階Ｓ１０２０で、ディスプレイ装置２０００は、コンテンツをディスプレイする。ディスプレイ装置２０００は、コンテンツの全体領域を画面にディスプレイすることができる。例えば、ディスプレイ装置２０００が写真イメージを受信した場合、受信した写真イメージの全体領域を、画面にディスプレイすることができる。また、例えば、ディスプレイ装置２０００が文書ファイルを受信した場合、文書の所定ページの全体領域を画面にディスプレイすることができる。
【０１２０】
段階Ｓ１０３０で、デバイス１０００は、コンテンツの一部領域をディスプレイする。デバイス１０００がコンテンツを受信することにより、デバイス１０００は、コンテンツの既設定領域を画面にディスプレイすることができる。その場合、デバイス１０００は、既設定領域についての情報をディスプレイ装置２０００またはサーバ３０００からあらかじめ受信することができる。既設定領域についての情報は、例えば、デバイス１０００が、ディスプレイ装置２０００に表示されたコンテンツのうちいずれの領域を表示しなければならないかについての情報、デバイス１０００がいかなる解像度でコンテンツの一部領域を表示しなければならないかについての情報などを含んでもよい。
【０１２１】
また、既設定領域は、デバイス１０００の解像度及びコンテンツの解像度に基づいて、ディスプレイ装置２０００、デバイス１０００またはサーバ３０００によってあらかじめ決定され、デバイス１０００は、受信されたコンテンツの解像度を確認し、受信されたコンテンツのうち表示する領域を決定することができる。
【０１２２】
また、デバイス１０００は、ユーザ入力に基づいて、コンテンツの一部領域をディスプレイすることもできる。その場合、デバイス１０００は、受信されたコンテンツの全体領域を画面にディスプレイし、画面にディスプレイされた全体領域のコンテンツに係わるユーザ入力に基づいて、コンテンツの一部領域を選択することができる。また、デバイス１０００は、選択された一部領域をデバイス１０００の画面全体にディスプレイすることができる。
【０１２３】
また、デバイス１０００は、ユーザ入力に基づいて、コンテンツの一部領域を変更してディスプレイすることができる。具体的には、デバイス１０００は、ユーザ入力に基づいて、コンテンツの一部領域をコンテンツの全体領域のうち他の一部領域に移動させてディスプレイすることができる。また、デバイス１０００は、ユーザ入力に基づいて、コンテンツの一部領域を拡大または縮小して表示することができる。
【０１２４】
段階Ｓ１０４０で、デバイス１０００は、コンテンツの一部領域についての付加情報を生成する。付加情報は、コンテンツの一部領域に係わる領域情報、及びコンテンツの一部領域に係わる編集情報を含んでもよい。領域情報は、デバイス１０００の画面に表示されたコンテンツの一部領域が、コンテンツの全体領域でいずれの領域に位置するかを示す情報を意味し、例えば、座標情報を含んでもよい。また、編集情報は、デバイス１０００の画面に表示されたコンテンツの一部領域について、ユーザが編集した事項についての情報であり、例えば、一部領域について変更された線、図形及び色相についての情報を含んでもよい。
【０１２５】
段階Ｓ１０５０で、デバイス１０００は、付加情報をサーバ３０００に提供する。その場合、デバイス１０００は、付加情報を受信するディスプレイ装置２０００の識別値をサーバ３０００に共に提供することができる。また、段階Ｓ１０５０で提供された付加情報は、サーバ３０００に保存されてもよい。
【０１２６】
また、段階Ｓ１０６０で、サーバ３０００は、付加情報をディスプレイ装置２０００に提供する。サーバ３０００は、デバイス１０００から受信されたディスプレイ装置２０００の識別値に基づいて、ディスプレイ装置２０００に付加情報を提供することができる。
段階Ｓ１０５０及び段階Ｓ１０６０では、デバイス１０００が付加情報をサーバ３０００を経由してディスプレイ装置２０００に提供すると説明したが、それに制限されるものではない。デバイス１０００は、付加情報をディスプレイ装置２０００に直接提供することもできる。
【０１２７】
段階Ｓ１０７０で、ディスプレイ装置２０００は、受信された付加情報をコンテンツに反映させてディスプレイする。ディスプレイ装置２０００は、サーバ３０００から受信された領域情報に基づいて、ディスプレイ装置２０００に表示されたコンテンツの全体領域のうち、デバイス１０００でディスプレイされている領域に対応する部分を区別して表示することができる。例えば、ディスプレイ装置２０００は、デバイス１０００でディスプレイされている領域に対応する部分を、所定の色相及びパターンを有する枠を利用して表示することができる。もし、ディスプレイ装置２０００に表示されたコンテンツの一部領域をディスプレイするデバイスが複数である場合、ディスプレイ装置２０００は、デバイス別に区別される色相及びパターンを有する枠を利用して、デバイスそれぞれで表示されている領域をディスプレイ装置２０００に表示されたコンテンツ上に表示することができる。
【０１２８】
また、ディスプレイ装置２０００は、サーバ３０００から受信された編集情報に基づいて、デバイス１０００で編集された事項を、ディスプレイ装置２０００にディスプレイされているコンテンツに反映させて表示することができる。
【０１２９】
図１１は、本発明の他の実施形態による、ディスプレイ装置２０００とデバイス１０００とが、サーバ３０００を介して共有コンテンツを表示する方法のフローチャートである。図１１では、サーバ３０００がデバイス１０００から受信された付加情報をコンテンツに反映させ、付加情報が反映されたコンテンツをディスプレイ装置２０００に提供することができる。また、図１１の段階Ｓ１１００ないし段階Ｓ１１５０は、図１０の段階Ｓ１０００ないし段階Ｓ１０５０に対応するので、段階Ｓ１１００ないし段階Ｓ１１５０に係わる説明は省略する。
【０１３０】
段階Ｓ１０６０で、サーバ３０００は、デバイス１０００から受信された付加情報をコンテンツに反映させる。サーバ３０００は、デバイス１０００から受信された領域情報に基づいて、コンテンツの全体領域のうち、デバイス１０００でディスプレイされている領域に対応する部分を区別して表示することができる。例えば、サーバ３０００は、デバイス１０００でディスプレイされている領域に対応する部分を、所定の色相及びパターンを有する枠を利用して表示することができる。もしディスプレイ装置２０００に表示されたコンテンツの一部領域をディスプレイするデバイスが複数である場合、サーバ３０００は、デバイス別に区別される色相及びパターンを有する枠を利用して、デバイスそれぞれで表示されている領域をコンテンツ上に表示することができる。
【０１３１】
また、サーバ３０００は、デバイス１０００から受信された編集情報に基づいて、デバイス１０００で編集された事項をコンテンツに反映させることができる。サーバ３０００は、領域情報及び編集情報をコンテンツにオーバーラップさせることができるが、それに制限されるものではない。
【０１３２】
図１０では、サーバ３０００がコンテンツに付加情報を反映させ、図１１では、ディスプレイ装置２０００がコンテンツに付加情報を反映させると説明したが、それに制限されるものではない。デバイス１０００は、コンテンツの一部領域を表示して変更することができ、表示された一部領域または変更された一部領域のコンテンツを、ディスプレイ装置２０００またはサーバ３０００に提供することができる。また、デバイス１０００は、一部領域が変更された全体コンテンツを、ディスプレイ装置２０００またはサーバ３０００に提供することもできる。その場合、デバイス１０００は、所定の映像処理を介して、編集情報及び座標情報を含む付加情報をコンテンツに反映させることができる。
【０１３３】
図１２は、本発明の一実施形態によって、コンテンツが地図イメージである場合、ディスプレイ装置２０００及びデバイス１０００に表示されたコンテンツの一例を図示した図面である。
【０１３４】
図１２を参照すれば、ディスプレイ装置２０００に表示された地図イメージの一部領域に対応するイメージが、デバイス１０００に表示される。その場合、ディスプレイ装置２０００に表示された地図イメージの一部領域に係わる詳細な地域情報が、デバイス１０００の画面に表示される。ユーザは、ディスプレイ装置２０００に表示された地図イメージの一部領域に係わる詳細な地域情報を、デバイス１０００を介して、効果的に確認することができる。
【０１３５】
また、ユーザは、ディスプレイ装置２０００に表示された地図イメージの一部領域に、デバイス１０００を利用して、ミーティング場所及びミーティング時間をメモすることができる。例えば、ユーザは、ディスプレイ装置２０００に表示された地図イメージの一部領域に、「ＡＡビル」及び「１４：００」をメモすることができる。その場合、ディスプレイ装置２０００は、会社内の掲示板に張り出すことができる。
【０１３６】
また、デバイス１０００が、ディスプレイ装置２０００に近接することにより、デバイス１０００は、近距離通信を介して、ディスプレイ装置２０００から地図イメージを受信し、受信された地図イメージの一部領域をディスプレイすることができるが、それに制限されるものではない。
【０１３７】
図１３は、本発明の一実施形態によって、コンテンツが地下鉄路線図イメージである場合、ディスプレイ装置２０００及びデバイス１０００に表示されたコンテンツの一例を図示した図面である。
【０１３８】
図１３を参照すれば、ディスプレイ装置２０００に表示された地下鉄路線図イメージの一部領域に対応するイメージが、デバイス１０００に表示される。その場合、ディスプレイ装置２０００に表示された地下鉄路線図イメージの一部領域に係わる詳細情報が、デバイス１０００の画面に表示される。詳細情報は、例えば、地下鉄出口情報及び乗り換え情報を含んでもよいが、それらに制限されるものではない。
【０１３９】
また、ユーザは、ディスプレイ装置２０００に表示された地図イメージの一部領域に、デバイス１０００を利用して、ミーティング内容及びミーティング時間をメモすることができる。例えば、ユーザは、ディスプレイ装置２０００に表示された地図イメージの一部領域に、「会議」及び「１４：００」をメモすることができる。
【０１４０】
また、デバイス１０００は、地下鉄路線図のイメージをディスプレイするディスプレイ装置２０００に近接することにより、近距離通信を介して、ディスプレイ装置２０００から地下鉄路線図イメージを受信し、受信されたイメージの一部領域をディスプレイすることができるが、それに制限されるものではない。
【０１４１】
また、図１２及び図１３に図示されたディスプレイ装置２０００は、公共場所に設置されてもよい。例えば、ディスプレイ装置２０００は、売場、レストハウス、地下鉄の駅などに設置されてもよい。また、ディスプレイ装置２０００には、ディスプレイ装置２０００が設置された場所の周辺を示す地図イメージ、地下鉄路線図などのコンテンツが表示されてもよい。また、デバイス１０００は、近接通信を介して、ディスプレイ装置２０００からディスプレイ装置２０００に表示されたコンテンツを受信し、受信されたコンテンツをデバイス１０００にディスプレイすることができる。また、受信されたコンテンツの一部領域は、デバイス１０００に拡大されてディスプレイされもする。
【０１４２】
図１４は、本発明の一実施形態によるコンテンツが、ＥＰＧ（electronic program guide）イメージである場合、ディスプレイ装置２０００及びデバイス１０００に表示されたコンテンツの一例を図示した図面である。
【０１４３】
図１４を参照すれば、ディスプレイ装置２０００に表示されたＥＰＧイメージの一部領域に対応するイメージが、デバイス１０００に表示されてもよい。具体的には、ＥＰＧイメージに含まれた所定のプログラムリストに対応するイメージが、デバイス１０００に表示される。
【０１４４】
その場合、ディスプレイ装置２０００に表示されたＥＰＧイメージに含まれた所定のプログラムに係わる詳細情報が、デバイス１０００の画面に共に表示されてもよい。詳細情報は、例えば、プログラムの著作者、ユーザ評価及び要約情報を含んでもよいが、それらに制限されるものではない。
【０１４５】
また、デバイス１０００は、ユーザ入力に基づいて、ＥＰＧイメージの一部領域を変更して表示することができる。例えば、デバイス１０００の動き、またはユーザのタッチ入力に基づいて、ＥＰＧイメージの一部領域を変更して表示することができる。その場合、ＥＰＧイメージの一部領域は、プログラムのリスト単位で変更されてもよい。例えば、ＥＰＧイメージに含まれた第１プログラムのリストに対応するイメージが、デバイス１０００で表示され、ユーザのスワイプ入力が受信されれば、デバイス１０００は、第１プログラムリストと隣接した第２プログラムリストのイメージをディスプレイすることができる。
【０１４６】
また、デバイス１０００は、ＥＰＧイメージの一部領域に含まれたプログラムを制御するための制御命令を、ディスプレイ装置２０００に提供することもできる。デバイス１０００は、ユーザの音声入力に基づいて、ＥＰＧイメージの一部領域に含まれたプログラムを制御するための制御命令を生成することができ、生成された制御命令をディスプレイ装置２０００に伝送することができる。例えば、ユーザが「再生」と言えば、デバイス１０００は、デバイス１０００に表示されたプログラムを再生するための制御命令を生成することができ、ディスプレイ装置２０００は、制御命令を受信し、デバイス１０００に表示されたプログラムを再生することができる。
【０１４７】
図１５は、本発明の一実施形態によるコンテンツがウェブブラウザ画面である場合、ディスプレイ装置２０００及びデバイス１０００に表示されたコンテンツの一例を図示した図面である。
【０１４８】
図１５を参照すれば、ディスプレイ装置２０００に表示されたウェブブラウザの一部領域に対応するイメージが、デバイス１０００に表示されてもよい。その場合、ディスプレイ装置２０００に表示されたウェブブラウザの一部領域を拡大したイメージが、デバイス１０００の画面に表示される。
【０１４９】
図１６は、本発明の一実施形態によるデバイス１０００のブロック図である。
【０１５０】
図１６に図示されたように、本発明の一実施形態によるデバイス１０００は、ユーザ入力部１１００，ディスプレイ部１２００，付加情報生成部１３００、付加情報提供部１４００、メモリ１５００，送受信部１６００及び制御部１７００を含む。
【０１５１】
ユーザ入力部１１００は、デバイス１０００に係わるユーザの入力を受信する。ユーザ入力部１１００は、ユーザのタッチ入力を受信することができる。その場合、ユーザ入力部１１００は、デバイス１０００のタッチスクリーンを介して、ユーザのタッチ入力を受信することができるが、それに制限されるものではない。また、ユーザ入力部１１００は、デバイス１０００を動かすユーザ入力を受信する。ユーザ入力部１１００は、例えば、ジャイロセンサ，重力センサ、モーションセンサを利用して、デバイス１０００を動きを感知することができるが、それに制限されるものではない。
【０１５２】
また、ユーザ入力部１１００が受信したユーザ入力は、デバイス１０００がコンテンツの一部領域を選択し、一部領域を拡大、縮小及び移動するのに利用されてもよい。また、ユーザ入力部１１００が受信したユーザ入力は、デバイス１０００がコンテンツの一部領域に係わる付加情報を生成するのに利用されてもよい。
【０１５３】
ディスプレイ部１２００は、コンテンツをディスプレイする。ディスプレイ部１２００は、ディスプレイ装置２０００でディスプレイされているコンテンツの一部領域をディスプレイすることができる。また、ディスプレイ部１２００は、ユーザ入力に基づいて、コンテンツの一部領域を拡大または縮小して表示することができる。また、ディスプレイ部１２００は、ユーザ入力に基づいて、コンテンツの一部領域をコンテンツの全体領域のうち他の領域に移動して表示することもできる。また、ディスプレイ部１２００は、コンテンツの一部領域に係わる付加情報をディスプレイすることができる。
【０１５４】
付加情報生成部１３００は、コンテンツの一部領域に係わる付加情報を生成する。付加情報生成部１３００は、例えば、スタイラスを介したユーザ入力に基づいて、コンテンツの一部領域に係わる付加情報を生成することができるが、それに制限されるものではない。付加情報は、コンテンツの一部領域に係わる領域情報、及びコンテンツの一部領域に係わる編集情報を含んでもよい。領域情報は、デバイス１０００の画面に表示されたコンテンツの一部領域が、コンテンツの全体領域で、いずれの領域に位置するかを示す情報を意味し、例えば、座標情報を含んでもよい。また、編集情報は、デバイス１０００の画面に表示されたコンテンツの一部領域について、ユーザが編集した事項についての情報として、例えば、一部領域について変更された線、図形及び色相についての情報を含んでもよい。
【０１５５】
付加情報提供部１４００は、生成された付加情報を、ディスプレイ装置２０００に提供する。付加情報提供部１４００は、付加情報をディスプレイ装置２０００に直接提供することができるが、それに制限されるものではない。デバイス１０００は、付加情報を別途のサーバ（図示せず）を経由して、ディスプレイ装置２０００に提供することもできる。その場合、付加情報は、別途のサーバ（図示せず）に保存されてもよい。
【０１５６】
メモリ１５００は、デバイス１０００が、ディスプレイ装置とコンテンツを共有して表示し、コンテンツの一部領域を編集して変更して表示するように、各種の情報を保存する。
【０１５７】
送受信部１６００は、デバイス１０００が、ディスプレイ装置とコンテンツを共有して表示し、コンテンツの一部領域を編集して変更して表示するように、各種の情報をディスプレイ装置２０００及びサーバ３０００のうち少なくとも一つと送受信する。送受信部１６００は、ディスプレイ装置２０００またはサーバ３０００から、コンテンツを受信することができる。また、送受信部１６００は、ディスプレイ装置２０００に、コンテンツを提供することもできる。
【０１５８】
制御部１７００は、デバイス１０００が、ディスプレイ装置とコンテンツを共有して表示し、コンテンツの一部領域を編集して変更して表示するように、ユーザ入力部１１００、ディスプレイ部１２００、付加情報生成部１３００、付加情報提供部１４００、メモリ１５００及び送受信部１６００を制御する。
【０１５９】
図１７は、本発明の他の実施形態によるデバイス１０００のブロック図である。
【０１６０】
移動通信部１００１は、３Ｇ／４Ｇのようなセルラネットワークを介して、基地局とのコール設定（call set-up）、データ通信などを遂行する。サーブ通信部１００２は、ブルートゥースやＮＦＣ（near field communication）のような近距離通信のための機能を遂行する。放送部１００３は、ＤＭＢ（digital multimedia broadcasting）放送信号を受信する。
【０１６１】
カメラ部１００４は、写真や動映像を撮影するためのレンズ及び光学素子を含む。
【０１６２】
センサ部１００５は、デバイス１０００の動きを感知する重力センサ、光の明るさを感知する照度センサ、人の近接度を感知する近接センサ、人の動きを感知するモーションセンサなどを含んでもよい。
【０１６３】
ＧＰＳ受信部１００６は、人工衛星からＧＰＳ信号を受信する。このようなＧＰＳ信号を利用して、多様なサービスがユーザに提供される。
【０１６４】
入出力部１０１０は、外部機器や人々とのインターフェースを提供し、ボタン１０１１、マイク１０１２、スピーカ１０１３、振動モータ１０１４、コネクタ１０１５、キーパッド１０１６を含む。
【０１６５】
タッチスクリーン１０１８は、ユーザのタッチ入力を受信する。ここでのタッチ入力は、ドラッグジェスチャによるものでもあり、タップジェスチャによるものでもある。タッチスクリーン・コントローラ１０１７は、タッチスクリーン１０１８を介して入力されたタッチ入力を、制御部１０５０に伝達する。電源供給部１０１９は、デバイス１０００に必要な電力を供給するために、バッテリまたは外部電源ソースと連結される。
【０１６６】
制御部１０５０は、メモリ１０６０に保存されたプログラムを実行することにより、本発明によって、ディスプレイ装置２０００に表示されたコンテンツの一部領域を表示して変更する。
【０１６７】
メモリ１０６０に保存されたプログラムは、その機能によって、複数個のモジュールに分類することができるが、移動通信モジュール１０６１、ＷｉＦｉモジュール１０６２、ブルートゥース・モジュール１０６３、ＤＭＢモジュール１０６２、カメラ・モジュール１０６５、センサ・モジュール１０６６、ＧＰＳモジュール１０６７、動映像再生モジュール１０６８、オーディオ再生モジュール１０６９、電源モジュール１０７０、タッチスクリーン・モジュール１０７１、ＵＩモジュール１０７２、アプリケーション・モジュール１０７３などに分類される。各モジュールの機能は、その名称から、当業者であるならば、直観的に推論することができるであろう。
【０１６８】
以下、アプリケーション・モジュール１０７３について、さらに詳細に説明する。アプリケーション・モジュール１０７３は、デバイス１０００に、ディスプレイ装置２０００に表示されたコンテンツの一部領域を表示して変更させる。
【０１６９】
アプリケーション・モジュール１０７３は、タッチスクリーン・モジュール１０７１及びセンサモジュール１０６６を介して、ユーザ入力を受信することができる。アプリケーション・モジュール１０７３が受信したユーザ入力は、アプリケーション・モジュール１０７３がコンテンツの一部領域を選択し、一部領域を拡大、縮小及び移動するのに利用される。また、アプリケーション・モジュール１０７３が受信したユーザ入力は、アプリケーション・モジュール１０７３が、コンテンツの一部領域に係わる付加情報を生成するのに利用される。
【０１７０】
また、アプリケーション・モジュール１０７３は、タッチスクリーン・モジュール１０７１を介して、コンテンツをディスプレイすることができる。アプリケーション・モジュール１０７３は、ディスプレイ装置２０００でディスプレイされているコンテンツの一部領域をディスプレイすることができる。また、アプリケーション・モジュール１０７３は、ユーザ入力に基づいて、コンテンツの一部領域を拡大または縮小して表示することができる。また、アプリケーション・モジュール１０７３は、ユーザ入力に基づいて、コンテンツの一部領域をコンテンツの全体領域のうち他の領域に移動して表示することもできる。また、アプリケーション・モジュール１０７３は、コンテンツの一部領域に係わる付加情報をディスプレイすることができる。
【０１７１】
また、アプリケーション・モジュール１０７３は、コンテンツの一部領域に係わる付加情報を生成することができる。アプリケーション・モジュール１０７３は、例えば、スタイラスを介したユーザ入力に基づいて、コンテンツの一部領域に係わる付加情報を生成することができるが、それに制限されるものではない。付加情報は、コンテンツの一部領域に係わる領域情報、及びコンテンツの一部領域に係わる編集情報を含んでもよい。領域情報は、デバイス１０００の画面に表示されたコンテンツの一部領域が、コンテンツの全体領域でいずれの領域に位置するかを示す情報を意味し、例えば、座標情報を含んでもよい。また、編集情報は、デバイス１０００の画面に表示されたコンテンツの一部領域について、ユーザが編集した事項についての情報であり、例えば、一部領域について変更された線、図形及び色相についての情報を含んでもよい。
【０１７２】
また、アプリケーション・モジュール１０７３は、生成された付加情報をディスプレイ装置２０００に提供することができる。アプリケーション・モジュール１０７３は、付加情報をディスプレイ装置２０００に直接提供することができるが、それに制限されるものではない。アプリケーション・モジュール１０７３は、付加情報を、別途のサーバ（図示せず）を経由して、ディスプレイ装置２０００に提供することもできる。その場合、付加情報は、別途のサーバ（図示せず）に保存されてもよい。
【０１７３】
図１８は、本発明の一実施形態によるディスプレイ装置２０００のブロック図である。
【０１７４】
図１８を参照すれば、本発明の一実施形態によるディスプレイ装置２０００は、ディスプレイ部２１００、コンテンツ提供部２２００、付加情報表示部２３００、メモリ２４００、送受信部２５００及び制御部２６００を含む。
【０１７５】
ディスプレイ部２１００は、コンテンツをディスプレイする。ディスプレイ部２１００は、ディスプレイ装置２０００に保存されたコンテンツをディスプレイすることができるが、それに制限されるものではない。ディスプレイ部２１００は、サーバ３０００またはデバイス１０００から受信されたコンテンツをディスプレイすることができる。また、ディスプレイ部２１００は、コンテンツの全体領域をディスプレイすることができる。
【０１７６】
コンテンツ提供部２２００は、ディスプレイ装置２０００にディスプレイ中であるコンテンツを、デバイス１０００またはサーバ３０００に提供する。コンテンツ提供部２２００は、デバイス１０００が、ディスプレイ装置２０００からすでに設定された範囲内に近接する場合、近距離通信を介して、コンテンツをデバイス１０００に提供することができる。
【０１７７】
付加情報表示部２３００は、デバイス１０００またはサーバ３０００から受信される、コンテンツの一部領域に係わる付加情報を、コンテンツに反映させて表示する。付加情報は、コンテンツの一部領域に係わる領域情報、及びコンテンツの一部領域に係わる編集情報を含んでもよい。領域情報は、デバイス１０００の画面に表示されたコンテンツの一部領域が、コンテンツの全体領域でいずれの領域に位置するかを示す情報を意味し、例えば、座標情報を含んでもよい。また、編集情報は、デバイス１０００の画面に表示されたコンテンツの一部領域について、ユーザが編集した事項についての情報であり、例えば、一部領域について変更された線、図形及び色相についての情報を含んでもよい。
【０１７８】
付加情報表示部２３００は、デバイス１０００から受信された領域情報に基づいて、ディスプレイ装置２０００に表示されたコンテンツの全体領域のうち、デバイス１０００でディスプレイされている領域に対応する部分を区別して表示することができる。例えば、付加情報表示部２３００は、デバイス１０００でディスプレイされている領域に対応する部分を、所定の色相及びパターンを有する枠を利用して表示することができる。もしディスプレイ装置２０００に表示されたコンテンツの一部領域をディスプレイするデバイスが複数である場合、付加情報表示部２３００は、デバイス別に区別される色相及びパターンを有する枠を利用して、デバイスそれぞれで表示されている領域をディスプレイ装置２０００に表示されたコンテンツ上に表示することができる。
【０１７９】
また、付加情報表示部２３００は、デバイス１０００から受信された編集情報に基づいて、デバイス１０００で編集された事項を、ディスプレイ装置２０００にディスプレイされているコンテンツに反映させて表示することができる。
【０１８０】
メモリ２４００は、ディスプレイ装置２０００がコンテンツの全体領域をディスプレイし、デバイス１０００で表示されているコンテンツの一部領域及びコンテンツの一部領域に係わる編集情報を、コンテンツに反映させるように各種の情報を保存する。
【０１８１】
送受信部２５００は、ディスプレイ装置２０００がコンテンツの全体領域をディスプレイし、デバイス１０００で表示されているコンテンツの一部領域及びコンテンツの一部領域に係わる編集情報を、コンテンツに反映させるように、各種の情報をデバイス１０００及びサーバ３０００と送受信する。送受信部２５００は、ディスプレイ装置２０００でディスプレイ中であるコンテンツをデバイス１０００及びサーバ３０００のうち少なくとも一つに伝送することができる。もしディスプレイ装置２０００に表示されたコンテンツの一部領域をディスプレイするデバイスが複数である場合、送受信部２５００は、第１デバイス（図示せず）から生成されたコンテンツの一部領域に係わる編集情報を、第２デバイス（図示せず）に提供することができる。
【０１８２】
制御部２６００は、ディスプレイ装置２０００全体の動作を制御し、ディスプレイ装置２０００がコンテンツの全体領域をディスプレイし、デバイス１０００で表示されているコンテンツの一部領域及びコンテンツの一部領域に係わる編集情報を、コンテンツに反映させるように、ディスプレイ部２１００、コンテンツ提供部２２００、付加情報表示部２３００、メモリ２４００及び送受信部２５００を制御する。
【０１８３】
図１９は、本発明の他の実施形態による複数のデバイス１０９０，１０９５で生成された編集情報が、ディスプレイ装置２０００に表示される一例を図示した図面である。
【０１８４】
図１９を参照すれば、ディスプレイ装置２０００にコンテンツが表示されていない状態で、デバイス１０９０及びデバイス１０９５で生成される編集情報が、ディスプレイ装置２０００に提供され、提供された編集情報に基づいて、ディスプレイ装置２０００でコンテンツが生成される。
【０１８５】
その場合、ディスプレイ装置２０００の画面には、デバイス１０９０に対応する領域２及びデバイス１０９５に対応する領域４が表示されてもよい。また、デバイス１０９０は、スタイラスを介したユーザ入力に基づいて、編集情報を生成し、生成された編集情報をディスプレイ装置２０００に提供することができる。
【０１８６】
また、デバイス１０９５も、スタイラスを介したユーザ入力に基づいて、編集情報を生成し、生成された編集情報をディスプレイ装置２０００に提供することができる。
【０１８７】
その後、ディスプレイ装置２０００は、デバイス１０９０から受信された編集情報を領域２に表示し、デバイス１０９５から受信された編集情報を領域４に表示することによって、コンテンツを生成することができる。
【０１８８】
また、ディスプレイ装置２０００は、コンテンツが生成された後、デバイス１０９０及びデバイス１０９５によって生成される編集情報を受信し、受信された編集情報を生成されたコンテンツに反映させることができる。
【０１８９】
また、ディスプレイ装置２０００は、画面に表示されている領域２及び領域４を区別して表示することができる。ディスプレイ装置２０００は、領域２及び領域４の枠の色相及びパターンのうち少なくとも一つを異なって表示することによって、領域２及び領域４を区別することができるが、それに制限されるものではない。また、ディスプレイ装置２０００は、領域２及び領域４に、デバイス１０９０及びデバイス１０９５の識別値をそれぞれ表示することもできる。
【０１９０】
また、図１９で、デバイス１０９０、デバイス１０９５及びディスプレイ装置２０００は、宅内に共に位置することができるが、それに制限されるものではない。デバイス１０９０、デバイス１０９５及びディスプレイ装置２０００のうち少なくとも一つが宅外に位置することもできる。その場合、宅内に位置した機器は、ローカル通信を介して互いにデータを送受信することができ、宅内に位置した機器と宅外に位置した機器は、広域ネットワークを介して互いにデータを送受信することができる。
【０１９１】
本発明の一実施形態は、コンピュータによって実行されるプログラム・モジュールのようなコンピュータによって実行可能な命令語を含む記録媒体の形態でも具現される。コンピュータ可読媒体は、コンピュータによってアクセスされる任意の可用媒体であり、揮発性媒体及び不揮発性媒体、分離型媒体及び非分離型媒体をいずれも含む。また、コンピュータ可読媒体は、コンピュータ記録媒体及び通信媒体をいずれも含んでもよい。コンピュータ記録媒体は、コンピュータ可読命令語、データ構造、プログラム・モジュール、またはその他のデータのような情報保存のための任意の方法または技術で具現された揮発性及び不揮発性、分離型及び非分離型の媒体をいずれも含む。通信媒体は、典型的には、コンピュータ可読命令語、データ構造、プログラム・モジュールまたは搬送波のような変調されたデータ信号のその他のデータ、あるいはその他の送信メカニズムを含み、任意の情報伝達媒体を含む。
【０１９２】
前述の本発明の説明は、例示のためのものであり、本発明が属する技術分野の当業者であるならば、本発明の技術的思想や必須な特徴を変更せずとも、他の具体的な形態で容易に変形が可能であるということを理解することができるであろう。従って、以上で記述した実施形態は、全ての面で例示的なものであり、限定的ではないということを理解しなければならない。例えば、単一型で説明されている各構成要素は、分散して実施されもし、同様に分散されていると説明されている構成要素も、結合された形態で実施されてもよい。
【０１９３】
本発明の範囲は、前述の詳細な説明よりは、特許請求の範囲によって示され、特許請求の範囲の意味、範囲及びその均等概念から導き出される全ての変更または変形された形態が、本発明の範囲に含まれるものであると解釈されなければならない。
【産業上の利用可能性】
【０１９４】
本発明のコンテンツを表示する方法及びその装置は、例えば、ディスプレイ関連の技術分野に効果的に適用可能である。
【符号の説明】
【０１９５】
１０００，１０９０，１０９１，１０９５    デバイス
１１００    ユーザ入力部
１２００，２１００    ディスプレイ部
１３００    付加情報生成部
１４００    付加情報提供部
１５００，２４００    メモリ
１６００，２５００    送受信部
１７００，２６００    制御部
２０００    ディスプレイ装置
２２００    コンテンツ提供部
２３００    付加情報表示部
３０００    サーバ
【図１】
2014011808.tif 000003
【図２】
2014011808.tif 000004
【図３】
2014011808.tif 000005
【図４】
2014011808.tif 000006
【図５】
2014011808.tif 000007
【図６】
2014011808.tif 000008
【図７】
2014011808.tif 000009
【図８】
2014011808.tif 000010
【図９】
2014011808.tif 000011
【図１０】
2014011808.tif 000012
【図１１】
2014011808.tif 000013
【図１２】
2014011808.tif 000014
【図１３】
2014011808.tif 000015
【図１４】
2014011808.tif 000016
【図１５】
2014011808.tif 000017
【図１６】
2014011808.tif 000018
【図１７】
2014011808.tif 000019
【図１８】
2014011808.tif 000020
【図１９】
2014011808.tif 000021